(57)【要約】      （修正有）【解決手段】ペットが歩行し又は走り運動をする散歩コ−スに沿って音声を含むこともある風景などの被写体を撮影し、記録してなる画像情報を再生又は表示することができる再生・表示装置１とペットを載せてペットに歩行又は走り運動をさせることができるエンドレスベルト６と当該エンドレスベルトを駆動させる駆動装置と少なくとも再生・表示装置１に再生又は表示する散歩コ−スの選択手段とエンドレスベルト６の始動又は停止の選択手段とからなる操作部１２とを備えてなり、再生・表示装置１はエンドレスベルト６上のペットの歩行又は走り運動方向に対して前面に位置してなる。【効果】ペットが歩行し又は走り運動をする散歩コ−スよりなる画像情報が、画面に再生・表示されるので、ペットを誘発し、歩行又は走行運動を行わせることができる。【選択図】図１
0003130601.tif 000002
【実用新案登録請求の範囲】
【請求項１】
ペットが歩行し又は走り運動をする散歩コ−スに沿って音声を含むこともある風景などの被写体を撮影し、記録してなる画像情報を再生又は表示することができる再生・表示装置と、
ペットを載せてペットに歩行又は走り運動をさせることができるエンドレスベルトと、
当該エンドレスベルトを駆動させる駆動装置と、
少なくとも前記再生・表示装置に再生又は表示する散歩コ−スの選択手段と当該エンドレスベルトの始動又は停止の選択手段とからなる操作部とを備えてなり、
前記再生・表示装置は当該エンドレスベルト上のペットの歩行又は走り運動方向に対して前面に位置してなることを特徴とするペットの歩行・走り運動装置。
【請求項２】
ペットの歩行・走り運動装置が、ペットが歩行し又は走り運動をする散歩コ−スに沿って音声を含むこともある風景などの被写体を撮影し、記録してなる記録媒体を持込み又は収納して当該記録媒体に基づいて再生・表示装置にて画像情報を再生又は表示することができる記録媒体の持込み・収納部を備えてなることを特徴とする、請求項１に記載のペットの歩行・走り運動装置。
【考案の詳細な説明】
【技術分野】
【０００１】
本考案は、ペットの歩行・走り運動装置に関し、特に、ペットが日常歩行し又は走り運動をする散歩コ−スに沿って、音声を含むこともある風景などの画像を撮影・記録した画像情報を再生・表示して、ペットがその画面を見つつ運動するようにしてなるペットの機械的な散歩装置に関するものである。
【背景技術】
【０００２】
犬などの飼育しているペットの健康維持促進の為には、運動が大事で、家に繋いだままでは運動不足に落ちいるので、人が、ペット特に犬を連れて散歩なりランニングなりを行うのであるが、雨の日とか、ペットを連れていく人の体調が悪かったりするときには、室内でペットに運動させることができるペットランナ−やペットの散歩装置は役に立つ。
しかしながら、当該ペットランナ−やペットの散歩装置は、常に使用する訳ではなく、雨の日などでなければ、日常は散歩に連れて行くのであり、雨の日などに急に当該ペットランナ−やペットの散歩装置を使用させるようにしても犬などのペット自体が走りに興味を示さなかったりあるいは方向違いの方向に進もうとしたりしてしまうことなどがある。
【考案の開示】
【考案が解決しようとする課題】
【０００３】
本考案は、上記に鑑みて新規なペットの歩行・走り運動装置を提供することを目的としたものである。
本考案の他の目的や新規な特徴については本件明細書及び図面の記載からも明らかになるであろう。
【課題を解決するための手段】
【０００４】
本考案の実用新案登録請求の範囲は、次の通りである。
（請求項１）ペットが歩行し又は走り運動をする散歩コ−スに沿って音声を含むこともある風景などの被写体を撮影し、記録してなる画像情報を再生又は表示することができる再生・表示装置と、
ペットを載せてペットに歩行又は走り運動をさせることができるエンドレスベルトと、
当該エンドレスベルトを駆動させる駆動装置と、
少なくとも前記再生・表示装置に再生又は表示する散歩コ−スの選択手段と当該エンドレスベルトの始動又は停止の選択手段とからなる操作部とを備えてなり、
前記再生・表示装置は当該エンドレスベルト上のペットの歩行又は走り運動方向に対して前面に位置してなることを特徴とするペットの歩行・走り運動装置。
（請求項２）ペットの歩行・走り運動装置が、ペットが歩行し又は走り運動をする散歩コ−スに沿って音声を含むこともある風景などの被写体を撮影し、記録してなる記録媒体を持込み又は収納して当該記録媒体に基づいて再生・表示装置にて画像情報を再生又は表示することができる記録媒体の持込み・収納部を備えてなることを特徴とする、請求項１に記載のペットの歩行・走り運動装置。
【考案の効果】
【０００５】
本考案によれば、そのペットが歩行し又は走り運動をする散歩コ−スよりなる画像情報、例えば、そのペットの犬がフンをするスポットや異性の犬と出会うスポットや水を飲むスポットなどを重点的に撮影した画像情報が、画面に再生・表示されるので、ペットはその画面に誘発されて、運動を持続し、雨の日などに急に使用させても、興味を示して歩行し、又、走行運動を行わせることができる。
【考案を実施するための最良の形態】
【０００６】
次に、本考案の実施例を図面に基づいて説明する。
【実施例】
【０００７】
実施例１．
本考案のペットの歩行・走り運動装置Ｒは、図１及び図２に示すように、ペットが歩行し又は走り運動をする散歩コ−スに沿って音声を含むこともある風景などの被写体を撮影し、記録してなる画像情報を再生又は表示することができる再生・表示装置１を備えてなる。
上記被写体の撮影は、例えば、図３及び図４に示すように、ビデオカメラ、カメラ付携帯電話、デジタルスチルカメラ（ＤＳＣ）などの撮像装置２により行うことができる。ビデオカメラ、カメラ付携帯電話、デジタルスチルカメラ（ＤＳＣ）などの撮像装置による動画であることが好ましいが、例えば、フイルムカメラ等の撮像装置による静止画像でもよい。
デジタルビデオカメラやデジタルスチルカメラは、ＣＣＤ（撮像素子）を有し、当該ＣＣＤは、例えば、Ｒ（赤）、Ｇ（緑）、Ｂ（青）の原色透過フィルターが市松状に配列された単板の画素配列を有するエリア撮像センサとして構成されており、被写体３からの光を光電変換することで、ＲＧＢのアナログ画像信号を得る。当該ＣＣＤで得られたアナログ画像信号は、アンプ（Ａｍｐ）部等で増幅され、Ａ／Ｄ変換器でデジタル画像デ−タに変換される。
当該被写体３の撮影に際して、その周囲の音声を取得するようにしてもよく、例えば、当該デジタルスチルカメラなどによる動画や静止画の撮影記録時に、例えばマイクロホンで検出した音声を、画像に対応させて含ませてもよい。
無線タグを被写体３の一部を構成するぺット例えば犬に保持させて、デジタルスチルカメラなどの撮像装置２で撮影を行うこともできる。
当該撮影は、ペットが歩行し又は走り運動をする散歩コ−スに沿って行われる。
ペットの犬を連れて歩く人の他の撮影者が、当該散歩コ−スの全体に渡って撮影するのが好ましいが、スポット的に撮影してもよい。ペットの犬がフンをするスポットや異性の犬と出会うスポットや水を飲むスポットなどを重点的に撮影するようにしてもよい。図２〜図４に示すように、散歩コ−スにおいて当該幾つかの撮影スポット４を設定して、例えば、スタ−トから折り返して戻ってくるまでの各スポット４を重点的に撮影するようにするとよい。
【０００８】
撮影された被写体３の映像は、記録媒体５に記録（保存）される。
当該記録媒体５は、撮像装置２に内蔵され、又は、外付けされる。
当該記憶媒体５としては、例えば、磁気テ−プ、光ディスク、光磁気ディスク、ハ−ドディスク、ＣＤ−ＲＯＭ、ＣＤ−Ｒ、不揮発性のメモリカ−ド、ＲＯＭ、フレキシブルディスク等を用いることができる。メモリカ−ドなどは、撮像装置２に対して着脱自在に構成される。
【０００９】
ペットの犬が歩行し又は走り運動をする散歩コ−スに沿って音声を含むこともある被写体を撮影し、記録してなる画像情報は、再生・表示装置１にて、再生又は表示される。
当該再生・表示装置１は、例えば、テレビ、パソコン、フォトスタンドなどにより構成される。
デジタルビデオカメラやデジタルスチルカメラなどの撮像装置２により撮影された画像情報が格納された記憶媒体５を抜いて、パソコンやテレビなどの再生・表示装置１に、持ち込むことにより、撮影画像（音声を含む）を再生（表示）することができる。
デジタルビデオカメラやデジタルスチルカメラなどの撮像装置２では、撮影を行うための撮影モ−ド（ＲＥＣモ−ド）と、メモリカ−ドなどの記録媒体５に格納された撮影画像を背面ＬＣＤ（液晶画面）等で再生する再生モ−ド（ＰＬＡＹモ−ド）とを備えおり、当該撮像装置で可視的に再生し、当該撮像装置２をパソコンやテレビなどの表示装置（ディスプレイ装置）と接続コードなどで接続してその画像情報をそのディスプレイ上に表示することができる。図２に示すように、撮影機能と記録機能と再生機能を備えたデジタルビデオカメラ２を、パソコンやテレビなどの表示装置（ディスプレイ装置）１と接続コードなどで接続してその画像情報をそのディスプレイ上に表示することができる。
図３に示すように、当該再生装置と表示装置とが一体となっていても、又、図４に示すように、当該再生装置１００と表示装置１０１とがそれぞれ独立して再生・表示装置１を構成していてもよい。
撮像装置２自体が、上記のように、画像又は音声を再生する再生装置の機能を持ってもよい。
撮像装置２と再生・表示装置１とは、ケ−ブル接続によらずに、ネットワ−クを介して接続してもよい。
【００１０】
ペットを載せてペットに歩行又は走り運動をさせることができるエンドレスベルト６は、無端の平ベルト６００と駆動ローラ６０１と従動ローラ６０２とを有してなる。当該平ベルト６００の裏側に振動防止用支持ローラ６０３を複数の適宜個数設置するとよい。当該駆動ローラ６０１は、駆動装置（動力源、モータ）７により駆動されることができる。当該モータ７と当該駆動ローラ６０１との間に、プーリ８を介在させて当該駆動ローラ６０１を回転させるようにする。
当該駆動装置（動力源、モータ）７に電源を入れ、当該モータ７を回転させると、プーリ８が駆動し、当該駆動ローラ６０１を回転させ、平ベルト６００を回動させることができる。
当該駆動ローラ６０１は、矢標方向に回転し、又、当該平ベルト６００は、当該駆動ローラ６０１と同じ方向に回転する。
当該再生・表示装置１は、当該エンドレスベルト６上のペットの歩行又は走り運動方向に対して前面に位置してなる。
ペットの犬は、当該平ベルト６００の回転方向と反対方向に向かせて当該ベルト上に乗せる。ペットの犬は、当該平ベルト６００の回転により後方へ運ばれるため、犬の本性により前方に走り出すが、当該ベルト６００は連続して回転しているため、当該犬も連続して走る。
インバータ９により、当該ベルト６００の回転速度を可変できるようにし、
運転の初めと終わりは当該ベルト６００の回転速度を遅くし、一方、その中間ではその回転速度を早めるように、タイマー１０とも連動させて、上記駆動装置（動力源、モータ）７を制御する。
当該エンドレスベルト６の少なくとも両側にフェンス１１を設ける。当該フェンス１１は、例えば、図６に示すように、その片方フェンス１１を開閉自在に構成しておくとよい。
【００１１】
操作部１２は、例えば、ランナー部１２０とモニタ部１２１とからなり、ランナー部１２０には、ベルトを回転させる始動ボタン１２０１と速度を調整する上昇ボタン１２０２と下降ボタン１２０３と停止ボタン１２０４を備えてなる。
モニタ部１２１には、再生・表示を開始する始動ボタン１２１０と散歩コースを選択する選択ボタン１２１１とモニタの再生・表示のスピードの上昇・下降選択ボタン１２１２とランニング時間の設定ボタン１２１３と再生・表示の停止ボタン１２１４とで構成されている。
当該再生・表示装置１の一部を、当該操作部１２に内蔵させ又は外付けさせることができる。
当該再生・表示装置１と操作部１２とは電気的に接続させる。
【００１２】
前記のように、撮影された被写体３の映像は、記録媒体５に記録（保存）され、当該記録媒体５は、メモリカ−ドなどとして撮像装置２に外付けされ、撮像装置２に対して着脱自在に構成されることがあり、例えばデジタルビデオカメラやデジタルスチルカメラなどの撮像装置２により撮影された画像情報が格納された記憶媒体５を抜いて、パソコンやテレビなどの再生・表示装置１に、持ち込むことにより、撮影画像（音声を含む）を再生（表示）することができるが、例えば、当該記録媒体の持込み・収納部１２０を、図１に示すように、前記の操作部１２に設けることができる。
当該ペットが歩行し又は走り運動をする散歩コ−スに沿って音声を含むこともある風景などの被写体３を撮影し、記録してなる記録媒体５を持込み又は収納して、当該記録媒体５に基づいて再生・表示装置１にて画像情報を再生又は表示することができる記録媒体の持込み・収納部１２０は、上記の操作部１２の他に、当該再生・表示装置１に又は他の場所に設けることができる。
【００１３】
本考案は上記実施例に限定されず、適宜変更が可能である。
【産業上の利用可能性】
【００１４】
本考案は、各種のペットに適用される。
【図面の簡単な説明】
【００１５】
【図１】本考案の実施例を示すペットの歩行・走り運動装置の構成図である。
【図２】本考案の実施例を示すペットの歩行・走り運動装置の説明図である。
【図３】本考案の実施例を示す散歩コースの撮影・記録・再生・表示の説明図である。
【図４】本考案の他の実施例を示す散歩コースの撮影・記録・再生・表示の説明図である。
【図５】本考案の実施例を示す操作部の説明図である。
【図６】本考案の他の実施例を示すペットの歩行・走り運動装置の構成図である。
【符号の説明】
【００１６】
１    再生・表示装置
２    撮像装置
３    被写体
４    散歩コ−ス（撮影スポット）
５    記録媒体
６    エンドレスベルト
７    駆動装置（動力源、モータ）
８    プーリ
９    インバータ
１０    タイマー
１１  フェンス
１２  操作部
１２０  記録媒体の持込み・収納部
Ｒ    ペットの歩行・走り運動装置
【図１】
0003130601.tif 000003
【図２】
0003130601.tif 000004
【図３】
0003130601.tif 000005
【図４】
0003130601.tif 000006
【図５】
0003130601.tif 000007
【図６】
0003130601.tif 000008